(57)【要約】      （修正有）【課題】回路基板の半田付け部分でクラック等が生じた場合、その部分で発熱し、基板が炭化し、さらに燃焼しても、その両側に形成されたスリットにより燃焼を食い止める。【解決手段】電気部品の端子を電気的に接続するために導電性配線パターン１０を形成してなる回路基板１において、大きな電流が流れる電気部品２、３、５〜９に対応する配線パターンのランド部分１１の両側に、該基板を貫通するスリット１２を形成してなる回路基板。【選択図】図１
2010287748.tif 000002
【特許請求の範囲】
【請求項１】
電気部品の端子を電気的に接続するために導電性配線パターンを形成してなる回路基板において、
大きな電流が流れる電気部品に対応する配線パターンのランド部分の両側に、該基板を貫通するスリットを形成してなる回路基板。
【請求項２】
前記スリットは、配線パターンのランド部分よりも長く形成されることを特徴とする請求項１記載の回路基板。
【請求項３】
前記スリットは、同一形状であって、ランド部を中心に左右同一の長さに形成されていることを特徴とする請求項２記載の回路基板。
【請求項４】
前記スリットは、隣接する配線パターンにランド部分が存在する場合、該隣接パターンの間に兼用されて形成されていることを特徴とする請求項１から３のいずれかに記載の回路基板。
【請求項５】
前記スリットは、配線パターンの屈曲部分にランドが形成されている場合、屈曲形状に合わせて形成されていることを特徴とする請求項１記載の回路基板。
【請求項６】
前記スリットは、ランドが形成されている配線パターンに隣接してランドが形成されていない異極配線パターンが存在している場合、ランドが形成されている配線パターンの両側に形成されていることを特徴とする請求項１または２記載の回路基板。
【請求項７】
電気負荷を動作させるために前記請求項１から６のいずれかに記載の回路基板を内蔵してなる電気機器。
【請求項８】
前記回路基板は、商用電源を前記負荷に供給するための電圧に変換するための電源回路基板であることを特徴とする請求項７記載の電気機器。
【請求項９】
前記回路基板に対応した下部に、不燃性部材からなる受け皿を対向して配置してなる請求項７または８記載の電気機器。
【発明の詳細な説明】
【技術分野】
【０００１】
本発明はプリント配線するための電気回路の基板にかかり、また該回路基板を備えてなる電機機器に関する。
【背景技術】
【０００２】
商用電源を利用してなる電気機器としては、各種電気製品が存在する。
【０００３】
例えば、電気機器としては、家庭用の電子レンジ、電気冷蔵庫、テレビジョン、扇風機、エアコン（空気清浄機を含めた空調機器等）、電熱器具、燃焼機器等の電化製品を含め、一般企業で利用されるパーソナルコンピュータ（ＰＣ）、複写機、ファックス、プリンタ等の各種機器が存在する。
【０００４】
商用電源としては、実行電圧１００Ｖ、２００Ｖ等の単相の交流電源、また誘導電動機等を利用したプレス機器等、三相交流電源等が一般的に利用されている。
【０００５】
そのような交流電源を利用する電気機器については、モータやニクロム線、マグネトロン、制御回路基板等の負荷に電圧を供給しており、この供給電圧としては、変圧器等を用いて、昇圧、また降圧させて電圧変換した交流のまま利用するもの、また交流を一旦整流、つまり直流に変換して利用するようにしている。そのため、電源プラグをコンセントに結合し、そのプラグのコードを介した反対側の端部、つまり電気機器側は、ＡＣ電源を直流、また交流で利用するための電源用の電気回路基板に接続される。
【０００６】
その電源用の回路基板は、各種電気部品を電気的に接続するための配線パターン、該パターンに半田付けを行うための各ランドが設けられ、そのランドに電気部品の各端子が半田付けされる。このような電源用の回路基板については、アンペアー（Ａ）オーダの大きな電流が流れるのが一般的である。そのため、半田付け不良が生じると、その部分の電気的な接触が安定せず、アーク放電等が生じ、その放電による発熱で、その半田付け部分の基板が炭化し、燃焼し、発火することで基板全体へと延焼することが考えられる。
【０００７】
通常、電気機器の出荷前には、製造メーカ側での品質管理、その他ＰＬ法の観点から、その半田付け等の不具合については、十分な策か講じられ、そのような不具合のない回路基板が製品に搭載されているのが実状である。
【０００８】
しかしながら、電機機器を長年利用することで、経年変化、振動等により半田付け部分で、電気部品の端子と半田クラック（剥がれ）が生じることがある。そのため、そのような惧れを予測し、ある機器については、タイムスタンプ等を利用し、例えば１０年を目途に、１０年を超えた電気機器については一定のメンテナンス、例えば大電流が流れる回路基板の交換等を行わなければ、使用不可能とするような提案もなされている。
【０００９】
また、電源回路基板において、リーク等による発熱、発火等を未然に防ぐようにしたものが、例えば特許文献１（実開平５−５３２５９号公報（実願平３−１０３００１号））に提案されている。これは、例えば電源回路基板のＡＣコネクタ部分に、ブラウン管に結露した結露水が滴下し、リーク等により、基板が発熱、発火するのを防止するために、ＡＣ電源の異極間にスリットを形成するものである。このように構成することで、結露水が落下（滴下）した場合、スリットを介して、基板の下部に落下するため、ＡＣ電源の異極間でリーク等が生じるのを防止でき、発熱、発火を防止するようにしている。
【００１０】
しかし、特許文献１においても、例えば経年変化、振動等によりＡＣ電源のコネクタ部の半田付け部分でクラック等を生じ、接触不良を生じることが予測できる。しかし、そのような接触不良で生じるアーク放電による発熱、発火等は、上記異極間にスリットを設けるだけでは防止できず、結果として基板が延焼するといったことまでは解消できない。
【００１１】
これに対し、特許文献２（特開平３−１４８０号公報）には、半田付け部分のクラックにより、その部分での発熱、発火、さらに基板の延焼を防止する技術が開示されている。これは、電源回路基板におけるランド部分の配線パターンの周囲を沿うようにして、電源回路の配線パターンとは別の発熱検出用のチェック用パターンを設けることが開示されている。このチェック用パターン（配線）の両端を検出端子としている。そのため、クラック等によるアーク放電が生じ、その部分が発熱、発火することで、上記チック用パターンが断切されるのを利用し、発火状態を検知している。この検知に基いて、電源供給を遮断するようにしている。
【先行技術文献】
【特許文献】
【００１２】
【特許文献１】実開平５−５３２５９号公報（実願平３−１０３００１号）
【特許文献２】特開平３−  １４８０号公報
【発明の概要】
【発明が解決しようとする課題】
【００１３】
上述した特許文献１記載の発明によれば、電源回路基板の結露に起因する発熱、発火を防止することが可能となる。しかし、電源回路基板の配線パターンにおける半田付け部分（ランド部分）のクラックにより生じるアーク放電に起因する発熱、発火、基板の延焼を防ぐことは困難となる。
【００１４】
この点、特許文献２によれば、半田付け部分のクラックによる発熱、発火を検出し、延焼する前に、電源供給を絶つことが可能となる。その結果、アーク放電を絶ち、延焼を抑えることが開示されている。しかし、発火対象の配線パターンは一時側配線パターンである場合が多く、チェック用パターンとは、相当の絶縁距離が必要となる。そのため、基板が発火すれば延焼は、発火配線パターンと必要な絶縁距離を隔てたチェック用パターンが断線するまで継続し、発火を検出した時点では、基板燃焼が拡大している。従って、発火を検知した段階で、電源供給を停止できるとしても、発火を鎮火、消火することはできない。
【００１５】
そのため、いずれの特許文献１、２に記載の発明についても、基板が発火し、その延焼を確実に解消することはできていないのが現状である。
【００１６】
また、以上説明したように、電機機器の経年変化、振動等による半田付け部分のクラックが生じた場合の発火、延焼について説明したが、これらに限らず、半田付けの不良により生じるもの全般において、上述したような不具合が生じることになる。
【００１７】
本発明は、以上のような問題点を解消するためになされたものであって、アーク放電等による発熱、燃焼により発火した場合、基板の延焼を抑えることができる回路基板を提供することを目的としている。
【００１８】
また、本発明の目的は、例えば電源回路基板を備える電気機器において、電源回路基板の延焼を防止することで、電気機器本体への延焼を防止することである。つまり、本願発明は、上述した目的を達成することで、その電源回路基板を備える電気機器への延焼を防止することを目的とするものである。
【００１９】
本発明は、延焼を防止する目的を達成するために、発熱により燃焼を開始した基板そのものが、それ以上燃焼しないようにし、それにより発火を鎮静化し、延焼を防止できる回路基板を提供することを目的とする。
【００２０】
以下に説明する本発明の回路基板は、特に電源回路を例に説明するが、このようものでなく、大きな電流を流す回路基板全般に適用できることは勿論である。
【課題を解決するための手段】
【００２１】
本発明は、電気部品の端子を電気的に接続するために導電性配線パターンを形成してなる回路基板において、大きな電流が流れる配線パターンの両側面に、該基板を貫通するスリットを形成する。
【００２２】
前記スリットは、電気部品の端子を半田付けするランド部分に対応して形成されている。
【００２３】
以上のように導電性配線パターンの両側に回路基板を貫通するスリットを形成することで、半田付けされるランド部分で、電気部品の端子との間でクラックが生じた場合、その電気的な接触不具合によりスパーク、アーク放電等が生じて発熱する。これが継続すると、発熱したランド部分の基板（樹脂等）が炭化し、燃焼すれば、その周辺に炭化、燃焼が広がろうとする。このとき、配線パターン両側にスリットが形成されているため、該スリット部分でそれ以上の燃焼が食い止められる。そして、燃焼し燃え尽きた部分がスリット間で欠落状態となり、欠落等より基板に穴が空き、その部分の配線パターンが遮断される。これにより電流が流れなくなる。また、ランド部分のスリット間での欠落により、燃焼が食い止められ、燃焼状態が鎮静化、つまり鎮火し、消火されることにもなる。従って、非常に簡単な手段で、延焼を防止でき、発火等を検出する手段を必要とせず、簡単な手段、構成により電流が遮断され、同時に延焼が抑えられる。
【００２４】
また前記スリットは、配線パターンのランド部分よりも長く形成される。これにより、延焼部分を最小限に食い止めることが可能となる。
【００２５】
また、ランドが設けられている導電性配線パターンの両側に形成されるスリットは、同一形状にしている。
【００２６】
あるいは、導電性配線パターンの両側に形成されるスリットは、ランド部分が配線パターンの屈曲部近辺では、異なる形状に形成する。特に、一方のスリットを屈曲部で配線パターンを欠如することなくスリット幅を大きく形成する。
【００２７】
さらに、前記スリットは、対応するランドの中心に対し、その位置から対象の長さに（同一の長さ）形成されている。これにより、延焼が左右方向に広がるのを防止できる。
【００２８】
以上のような構成の回路基板は、供給される電力による動作する電機機器の回路基板として内蔵される。
【００２９】
この回路基板は、電気機器に電源を供給するための電源回路基板等である。
【００３０】
従って、回路基板側、特に電源供給部分の大きな電流が流れる回路基板側で、半田付け部分でのクラックが生じ、発熱、燃焼しても、基板の延焼を食い止めることができるため、電気機器への延焼を未然に避けることが可能となる。
【発明の効果】
【００３１】
以上説明した構成の回路基板によれば、回路基板の半田付け部分でクラック等が生じた場合、その部分で発熱し、基板が炭化、さらに燃焼しても、その両側に形成されたスリットにより燃焼が食い止められる。
【００３２】
従って、半田付け部分（ランド部分）の基板が炭化、燃焼により欠落した段階で、燃焼が鎮静化し、基板のそれ以上の延焼を抑えることができる。
【００３３】
また、本発明の回路基板を備える電機機器においては、回路基板側での燃焼が食い止められるため、電機機器まで延焼することが阻止できる。
【００３４】
従って、大きな電流が流れる回路基板であっても、経年変化、また振動等によりクラック等が生じた場合に危惧される延焼については、比較的に簡単な手段、構成により回避することができる。
【図面の簡単な説明】
【００３５】
【図１】本発明にかかる回路基板を示す配線パターン側から目視した平面図。
【図２】本発明にかかる回路基板に電気的に各種電気部品が接続される回路構成を示す回路図。
【図３】本発明にかかる回路基板において、半田付けするランド部分に対応して形成されるスリットの一例を説明するための図。
【図４】本発明における回路基板において、半田付けするランド部分に対応して形成されるスリットの他の例を説明するための図。
【図５】本発明における回路基板において、半田付けするランド部分に対応して形成されるスリットのその他の例を説明するための図。
【図６】本発明における回路基板により延焼防止する順序を説明するための図。
【図７】従来の回路基板において延焼状態に至る順序を説明するための図。
【図８】従来の回路基板において同極トラッキングにより延焼する状況を説明するための図。
【図９】従来の回路基板において異極間トラッキングにより延焼する状況を説明するための図。
【発明を実施するための形態】
【００３６】
以下、図面を参照しながら本発明による実施の形態を説明する。
【００３７】
本発明の電気回路基板の一例を図１および図２に示す。この図１、図２は、一例として電源回路基板を例に、図示したものである。
【００３８】
通常、電気機器は、電源（電力）の供給を受けることで、図示しない制御部の制御によりユーザが所望する動作、制御を実現させている。例えば、洗濯機においては、電力供給線であるコード先端のプラグを、１００Ｖ（実行電圧）のＡＣコンセントに差し込むことで、洗濯機本体の電源スイッチを操作（ＯＮ）し、目的の洗濯プログラムを選択操作すれば、例えば自動で脱水を含めた洗濯動作を開始する。
【００３９】
以上のような電気機器については、なにも洗濯機に限るものではなく、家庭に設置される各種の電機製品全てにおいて同様で、以下に説明する本発明の回路基板を備えることで、電源の供給が行える。また、家庭用の電気機器だけでなく、企業において電気を利用する製品、例えば複写機、プリンタ、ＰＣ等、電力供給を受けて動作する電気機器全てが対象となる。
【００４０】
以上のような電機機器においては、電力供給を受けるためのコードが、電源回路基板に接続される。この回路基板としては、電機機器の種類に応じて、ＡＣ電圧を昇圧、降圧させる変圧器等の電気部品等が接続されている。また、ＡＣでなく、電気機器がＤＣ（直流）で動作する場合には、交流を直流に変換するための整流器等の電気部品が、さらにＡＣ及びＤＣを必要とする場合には、それぞれに必要となる電気部品がそれぞれ接続される。これは周知の技術である。
【００４１】
図２に示す電源供給のための回路は、各種電気部品を回路基板１上（表面）に設け、各端子を基板１の裏面に挿通し、裏面に形成された配線パターンを介して接続される。この回路基板１は、電気機器として交流を直流に変換したＤＣ電圧を利用する場合を例にしたものである。ＡＣ（１００Ｖ）電源（コンセント）１４に、差込まれたプラグから電気コード１６を介して電源回路基板１に電源が供給される。
【００４２】
上記電源コード１６の他端（プラグと反対側）は、結合コネクタ（図示せず）が接続されており、これが電気機器の電源回路基板１に設けられているＡＣ入力コネクタ２に、着脱可能となり、結合させることで電源を回路基板１に供給している。
【００４３】
この回路基板１の入力側と反対側には、出力コネクタ９が設けられており、該コネクタ９に電気機器の負荷１５にＤＣ電圧を供給する供給線１７に設けられている受けコネクタ（図示せず）と結合されるようになっている。そのため、回路基板１は、それぞれの入出力用のコネクタ２、９と相手側の両コネクタを取外すことで、簡単に取外しが行え、回路基板の取替え、メンテナンス等が簡単に行えるようになっている。
【００４４】
この回路基板１の一方の面（裏面）には、図１に示すように各種電気部品を接続するための銅箔（銅板）等で形成された配線パターン１０が形成されている。この配線パターン１０に、反対面側より各種電気部品の端子が、それぞれの配線パターンに対応して形成された貫通孔を介して挿入され、その貫通孔に対応させた半田付け部分（ランド）１１が形成されている。この配線パターン１０のランド１１に挿入された電気部品の端子を半田付けすることで電気的な接続がなされる。上記ランド１１は、図において円形状で示しており、その円状の部分に半田付がなされる。
【００４５】
この図１に示す回路基板１の配線パターン１０を介して各電気部品が、電気的に接続される回路構成について図２を参照して以下に説明する。図に示すように、ＡＣ電源の入力部となるＡＣ入力コネクタ２の一端側は、電流ヒューズ３の一端が配線パターン１０を介して接続されている。この電流ヒューズ３の他端は、ノイズ除去用のコンデンサ４ａの一端側に接続され、ノイズ除去用コンデンサ４ａの他端は、ＡＣ入力コネクタ２の他端側に接続されている。
【００４６】
上記コンデンサ４ａの両端は、チョークコイル５の一方の端子にそれぞれ接続されており、該チョークコイル５の他端側は、ノイズ除去用コンデンサ４ｂの各端子に接続されている。ノイズ除去用コンデンサ４ｂの両端は、全波整流器を構成するダイオードブリッジ６の入力端子側に接続されており、該ダイオードブリッジ６の出力端子側は、並列に平滑用の電解コンデンサ７が接続されている。この電解コンデンサ７と並列に、さらにノイズ除去用コンデンサ４ｃ、および電解コンデンサ７の電荷を放電させるための放電抵抗８が接続されている。
【００４７】
上記電解コンデンサ７にて平滑化された直流成分の電圧（ＤＣ）は、出力コネクタ９および電気コード１７を介して電気機器の負荷１５、たとえば直流電動機（モータ）等に供給される。
【００４８】
なお、上記放電抵抗８は、電気負荷９が何らかの原因でオープン状態になったときに、電解コンデンサ７に充電された電荷を放出、つまり充電電荷を放出させるために接続されている。
【００４９】
図２に示した電源回路を構成する各種電気部品のそれぞれを、電気的に接続するために、電源回路基板１には、先に説明したように図１に示すような配線パターン１０が形成されている。この配線パターン１０は、周知の技術に基づいて形成されており、各電器部品の端子を配線パターン１０に電気的に接続するために、半田付け用のランド１１がそれぞれ形成されている。
【００５０】
図１において、先に説明したように円形部分が半田付けのための各ランド１１であって、その領域にのみ半田付けされるようになっている。その他の部分は、半田が付着しないように、絶縁材料等で印刷（コーティング）されている。また、図１の破線で示す矩形、楕円部分は、上述した各種電気部品を示しており、その各電気部品を同一符号で付しているとおりであり、回路基板１本体は、樹脂性の絶縁部材等で構成されている。
【００５１】
本発明における回路基板１は、ランド１１部分でクラックが生じた時のアーク放電等で、その部分が発熱し、絶縁性の樹脂性回路基板１が炭化し、電源供給が継続することで燃焼し、これが基板１を通じて延焼するのを防止するために、各ランド１１に対応させてスリット１２が形成されている。
【００５２】
上記スリット１２は、回路基板１を貫通するように形成されている。また、スリット１２は、全ての半田付けされるランド１１部分に設けられるものではなく、特に大きな電流が流れる回路部品の端子のランド部分に対応させて形成されている。例えば、図２に示すように、電源回路の各電気部品に大きな電流が流れる部分を矢印１３で示しており、クラック等によりアーク放電等が生じると思われる部分である。この電源回路においては、ノイズ除去用のコンデンサ４ａ〜４ｃには、電流がほとんど流れず、数ｍＡ、またはμＡオーダの電流が流れる程度である。その他の電気部品については、大電流（数百ｍＡ〜Ａオーダー）が流れる。
【００５３】
従って、電気回路を構成する一つの電気部品の端子が、半田付け部分（ランド部分）で何らかの要因、例えば振動等によりクラック等が生じると、半田部分と端子間、また配線パターン１３と電気部品の端子間での接触不具合、不良によりアーク放電が生じる。この放電による火花等で、その部分の基板が炭化し、その後に燃焼し、基板１を伝って延焼するといった経緯をたどることが予測される。
【００５４】
そのため、大電流が流れる電気部品に対応するランド１１部分に、上述した回路基板１を貫通するスリット１２が適所に形成される。スリット１２は、例えば電流ヒューズ２の一端子が半田を介して配線パターン１０に接続されており、この半田付けのランド１１に対応した両側に形成している。つまり、スリット１２は、ランド１１の両側を挟むように、配線パターン１０を欠如することなく、配線パターン１０に沿うようにして形成されている。さらに、ランド１１部分（円形部分）の直径よりも、さらに長い長さで形成されている。
【００５５】
また、スリット１２は、図３に示すようにランド１１の中心線Ｃに対して、左右同じ長さ、つまり左右対称の長さに、配線パターン１０の両側に沿うようにし形成されている。しかも、スリット１２は、配線パターン１０を欠落させることなく、配線パターン１０に近接し、基板本体に形成されている。
【００５６】
なお、スリット１２の幅（長さ方向と直交する方向の幅）は、基板１の強度が損なわれない程度に設定され、かつ燃焼、延焼を堰き止めることができる幅、例えば１ｍｍ以上にしている。
【００５７】
上述したように、全てのノイズ除去用コンデンサ４に対応するそれぞれのランド１１ａ部分に対応して、図１に示すようにスリット１２は形成されていない。また、放電抵抗８についても、同様に大きな電流が流れることはなく、この放電抵抗８のランド１１ｂ部分に対応した部分には、スリット１２は形成されていない。
【００５８】
また、スリット１２は、ランド１１の両側を挟むように２箇所を１組として設けるようにしている。これとは別に、全波整流のためのダイオードブリッジ６に対応するランド１１においては、配線パターン１０同士が接近している部分が存在するため、一つのスリット１２ａ、１２ｂを隣接するそれぞれのランド１１ｃ、１１ｄ間に兼用させるように形成している。これにおいても、両ランド１１ｃ、１１ｃにおいては、両側を挟むようにして兼用スリット１２ａとスリット１２がそれぞれ存在する形態となる。また、両ランド１１ｄ、１１ｄにおいても、同様にスリット１２と兼用スリット１２ｂがそれぞれ存在する。このような兼用スリット１２ａ、１２ｂについては、配線パターン１０が近くなる部分であって、大きく離れる場合には、各ランド１１に対応して両側から挟むようにして２つのスリットが形成される。
【００５９】
さらに、電源回路の入力側の配線パターン１０ａのランド１１ｅについては、それぞれ入力コネクタ２の一端、また電流ヒューズ３の一端に対応したもので、ランド１１ｅの一方にスリット１２ｃが形成されている。これは、回路基板１１の配線パターン１０の一方側が、回路基板１０の端縁に近く、その端縁の空間部をスリットとみなすことができる。そのため、あえてスリット１２ｃに対応させて、配線パターン１０ａを挟んでさらにスリットを設ける必要はなく、先に説明したようにスリット１２ａ、１２ｂのように兼用させる場合と同様の作用効果を期待できる。
【００６０】
以上説明したように本発明による電源回路基板１が構成されている。以下に、本発明の回路基板１の作用、つまり基板の炭化、燃焼に至る経緯、また燃焼が抑制され鎮火される原理等を説明する。
【００６１】
まず図７において、上述した本発明における回路基板１の構成でなく、スリット１２が形成されていない従来の回路基板の場合による延焼に至るまでの経過（流れ／フロー）を説明する。また、図７等で示した符号については、本発明の回路基板１と同一部分を同一符号で示している。
【００６２】
まず、図７に示すように、ステップＳ１１において、経年変化や振動等によりランド１１部分でクラックが生じると、そのクラック部分でアーク放電２０が発生する。これが継続すると、ステップＳ１２に進み、アーク放電２０により、基板自身の炭化２１が生じ、如いてはランド１１部分で燃焼を開始する。これにより、炭化燃焼が進み、ステップＳ１３へと推移し、炭化部分が徐々に大きくなり、炭化燃焼が拡大し、基板１が燃え尽きた部分に大きな穴２２が空く。それが継続し、ついにはステップＳ１４へと推移し、これが原因で基板１全体に延焼していく危険に晒される。
【００６３】
このように、炭化燃焼が拡大し、回路基板１を通じて延焼すれば、対応したランド１１部分での配線が断線し、電源供給、つまり電流が流れなくなっても燃焼状態を消火しない限りは、燃焼、発火を鎮火させることはできない。また炭化した部分が導電性となり、他の配線間パターンとの間で導通すると、さらに炭化、燃焼に油を注ぐ結果ともなり、延焼が拡大化していく。これに起因して、電機機器の発火等が懸念されることにもなる。
【００６４】
一方、本発明の回路基板１の構成における作用を図６に沿って説明する。
【００６５】
まず、図６のステップＳ１においては、従来同様に何ならかの原因による半田付けのランド１１の部分でクラックが生じると、アーク放電２０が発生する。これにより、ステップＳ２へと推移し、基板１の炭化２１が生じ、ランド１１部分で燃焼を開始する。ここまでは、図７のステップＳ１１、Ｓ１２と同様である。
【００６６】
そして、炭化燃焼が広がり、ステップＳ３へと推移すると、これがスリット１２の部分まで達する。この時、ステップＳ３に示すように、スリット１２の部分で。それ以上の炭化燃焼が抑制される（堰き止められる）。炭化燃焼した回路基板１は、スリット１２の部分で堰き止められた格好で、燃え尽きた部分に穴２２が空く。これにより、ステップＳ４に推移することで、基板１が燃え尽きた部分の穴２２がスリット１２に達した時点で、配線パターン１０も断線された格好となり、アーク放電もなくなる。その結果、炭化燃焼が止まり、鎮火する格好となり、延焼状態を防止できる。
【００６７】
ここで、燃焼した部分が途中で、基板１下部に落下するような場合、これを受けるために回路基板１の下部に不燃性の部材、例えば金属板等を受け皿として電機機器の底面に設けるようにすればよい。これにより、燃焼した燃えかす等の落下物に起因した、他への延焼を防止でき、しいては電機機器内の発火、延焼を防止できる。
【００６８】
以上説明したように、本発明の回路基板１によれば、スリット１２を設けることで、例えば半田付け不良によるアーク放電が生じ、これによる基板が炭化、燃焼を生じても、これをスリット１２で堰き止めることができる。そのため、それ以上の炭化燃焼が阻止され、延焼を防止できる。
【００６９】
また、本発明によれば、スリット１２を回路基板１の適所、特に配線パターン１０に沿って、半田付け部分のランド１１の両側に設けるといった非常に簡単な構成により、炭化燃焼、さらには発火、延焼を防止する効果を奏する。そのため、発火を検出するといった特別な回路構成を、別途設ける必要もなく、かつ電源供給を電気的に遮断させるような制御回路も必要としない。
【００７０】
（本発明の他の実施の形態）
以上説明した本発明の実施の形態によれば、各ランド１１が配線パターン１０の直線部分に設けられる場合を例に説明した。
【００７１】
配線パターンとしては、このようなものでなく、途中で屈曲、湾曲するような形状で形成されることもある。たとえば、配線パターン１０が屈曲したような部分にランド１１が設けられる場合もあり、このような場合には、ランド１１を両側から挟むように、同一形状のスリット１２を形成することができない。
【００７２】
たとえば、図４に示すように、大きな電流が流れる電気部品の端子を半田付けしたランド１１が、配線パターン１０の屈曲部に近くに形成される場合がある。このようなランド１１に対し、配線パターン１０の直線部分に対応してスリット１２を、ランド１１よりも十分に長く形成できるが、これと対応するもう一方のスリット１２Ａについては、それと同一形状、同一長さに形成することができない。
【００７３】
つまり、配線パターン１０が９０度に屈曲させているため、配線パターン１０の一部を欠落しなければ、相手側のスリット１０と同一形状、同一長さでスリット１２Ａを形成できない。そこで、本発明によれば、本発明の目的を達成させるためにも、スリット１２Ａは、スリット１２に対し、幅方向に充分に広いスリット形状で形成されている。このスリット１２Ａは、配線パターン１０を欠如しないように、パターン１０に沿って形成するために、スリット幅を大きしている。幅を大きくすることなく、Ｌ字形状のスリットをパターン１０の屈曲したコーナー部分に形成するようにしてもよい。
【００７４】
以上の構成とすることで、炭化、燃焼が拡大した場合、縦方向（スリット幅方向）への拡大を抑える効果が助長できる。これにより、それ以上の炭化、燃焼を抑えることができ、早期に燃焼を鎮静化できる。
【００７５】
以上説明したように、配線の制約を受けることなくスリット１２Ａを設けることが可能となり、配線パターン１０が直線状のもの、たとえば図１で説明した実施形態のものと同様の作用、効果を期待できる。
【００７６】
また、図５に示すようにランド１１が、配線パターンの屈曲部分（コーナー領域）に形成されることもある。このような場合には、該ランド１１を挟み込むようにＬ字形状のスリット１２Ｂ、１２Ｃを形成する。このスリット１２Ｂ、１２Ｃは、ほぼ相似形を有するものであって、スリット１２Ｂ、１２Ｃの両端部が一致するように形成されている。
【００７７】
ここで、スリット１２Ｂとしては、一方のスリット１２Ｃとほぼ相似形にすることなく、ほぼ正方形、また長方形状に形成してもよい。また、スリット１２Ｂの両端を直線で結んだ三角形状に形成してもよい。
【００７８】
なお、配線パターン１０が湾曲し、その湾曲部にランド１１が形成されるような場合には、配線パターンの湾曲形状に合わせるように湾曲したスリット１２を配線パターン１０の両側に形成するようにすればよい。
【００７９】
このような構成とすることで、配線パターンが直線形状のもの（図１で説明した実施の形態のもの）と同様の作用、効果を期待できる。
【００８０】
（配線パターンの形態の違いによる延焼状態）
なお、本発明による炭化燃焼、さらには、延焼を防止する本発明の回路基板１の効果をさらに検証するために、従来における炭化、燃焼、発火、さらには延焼する経過について、配線パターンの違いにより異なることを説明する。この点、本発明においては、このような配線パターンの違いに関係なく、炭化、燃焼、これによる延焼を防止することができる。
【００８１】
図８には、図７で説明したようにランド１１が形成された配線パターン１０の相手側、たとえば異極の配線パターンが存在しない状態における延焼経緯を説明するためのものである。これを、同極トラッキング状態での延焼状況として説明する。
【００８２】
まず、図８におけるステップＳ１５は、図７で説明したステップ１４と同様の状態である。
【００８３】
つまり、アーク放電を継続して引き起こすと、図７のステップＳ１４に推移し、基板１の燃焼が広がり、図８のステップＳ１５となる。ここで、燃焼２３により炭化２１した部分がランド周囲に大きく広がる。それがさらに広がるとステップＳ１６に示すように、配線パターン１０に沿って徐々に拡大していく。
【００８４】
これは、炭化２１した部分が導電路となり、配線パターン１０との間でアーク放電２０が繰り返される。このアーク放電２０は、配線パターン１０が一部で基板の燃焼２３により燃え尽き、欠落したとしても、配線パターン１０の端部が、基板の炭化した導電路（２１）を通じてアーク放電２０が再発し、このアーク放電２０が継続することになる。これにより、回路基板１の配線パターン１０に沿って広がる同極トラッキングを引き起こし、電力の供給源である電源方向へと進行していく（図８では右側が電源の供給源側となる）。
【００８５】
これに対し、図９に示すようにランド１１を有する配線パターン１０に対し、異極の配線パターン１０Ａが隣接して存在するような場合、ランド１１の部分でのクラックにより炭化、延焼が生じる経過を示している。これは、異極トラッキングとして、以下に説明する。
【００８６】
図９においては、先に説明したとおり、図７のステップＳ１４以降の経過を示している。つまり、図９においてステップＳ１５０で示すように、基板１の炭化燃焼２３が広がった状態を示している。
【００８７】
その燃焼２３が広がり、ステップＳ１５１へと推移し、隣接する異極の配線パターン１０Ａ側に達する。この時点で、配線パターン１０Ａとの間で基板が炭化２１した導電路を介して、ショートした格好になる。これにより、ステップＳ１５２に示すとおり、異極間トラッキングへと進行し、激しく発火、基板１１全体へと延焼する危惧がある。
【００８８】
この異極間トラッキングにおいては、先に説明した図８に示す同極トラッキングに比べて短時間で進行していく。特に、異極の配線パターン１０Ａが、大きな電流が流れる配線パターン１０に隣接して形成されている場合である。
【００８９】
この点、本発明の回路基板１、つまり大きな電流が流れる配線パターン１０のライド１１に対応させて、これを両側から挟むようにて基板を貫通するスリット１２を形成したことで、アーク放電により発熱、炭化燃焼が生じても、スリット１２部分で炭化燃焼を食い止め、これ以上の炭化燃焼を阻止できる。これにより、上述したように同極トラッキング、異極間トラッキングによる延焼を防止できる。
【００９０】
なお、本発明において、大きな電流としては、１Ａ以上であり、さらに１００Ｖ、０．１Ａ程度の電流が流れる場合にも、半田クラックによるアーク放電が生じ、上述したように炭化、炭化燃焼等が生じることを確認した。
【符号の説明】
【００９１】
１    回路基板
２    入力用コネクタ（電気部品）
３    電流ヒューズ（電気部品）
５    チョークコイル（電気部品）
６    ダイオードブリッジ（電気部品）
７    電解コンデンサ（電気部品）
９    出力コネクタ（電気部品）
１０    配線パターン
１１    ランド（半田付け部）
１２    スリット
１３    大電流の流れる経路
１４    商用電源
１５    負荷
【図１】
2010287748.tif 000003
【図２】
2010287748.tif 000004
【図３】
2010287748.tif 000005
【図４】
2010287748.tif 000006
【図５】
2010287748.tif 000007
【図６】
2010287748.tif 000008
【図７】
2010287748.tif 000009
【図８】
2010287748.tif 000010
【図９】
2010287748.tif 000011